【事件の表示】
　平成　９年特許願第３４８８６９号「冷蔵庫」拒絶査定不服審判事件〔平成１１年　７月　６日出願公開、特開平１１−１８３０１４〕について、次のとおり審決する。
【結　論】
　本件審判の請求は、成り立たない。
【理　由】
１．　手続の経緯・本願発明
  本願は，平成９年１２月１８日の出願であって，その請求項１に係る発明は，平成１７年４月１８日付け及び同年１０月２４日付け手続補正により補正された明細書及び図面の記載からみて，特許請求の範囲の請求項１に記載された次のとおりのものと認める。
　　
　「上から冷蔵室，野菜室，冷凍室となるように野菜室を冷凍室の上に形成され，各貯蔵室を冷却するための冷凍サイクルを構成する圧縮機と，前記冷凍サイクルを構成する冷却器が配設される冷却ユニットとを備えた冷蔵庫において，
　前記冷凍室の開口の高さ方向の寸法と概ね同じくらいの前記冷却ユニットが前記冷凍室の背面後部に設置され，前記圧縮機が前記冷蔵庫本体の背面側の上部に設置され，
　前記冷却ユニットは，前記冷却器の上部に設置される強制通風用のファンと前記冷却器の下部に設置される除霜ヒーターと前記冷却器からの除霜水を受ける樋とを備え，
　前記冷蔵室は回転扉によって，前記野菜室及び前記冷凍室は引出扉によってそれぞれ閉塞され，前記回転扉には冷蔵食品の収納部となる複数個のポケットが，前記野菜室内及び前記冷凍室内には引出し式の容器がそれぞれ備えられ，
　前記冷蔵室の最上段の棚奥に前記圧縮機を位置させるとともに，前記野菜室及び前記冷凍室は内箱形状を単純な矩形状としたことを特徴とする冷蔵庫。」
　　
２．　引用例に記載された事項
　原査定の拒絶の理由に引用された，本願出願前に頒布された刊行物である特開平６−１５９９１１号公報（以下，「引用例１」という。），特開平９−１１３０８９号公報（以下，「引用例２」という。）及び特開平９−１１３１０７号公報（以下，「引用例３」という。）には，それぞれ図面と共に以下の記載がある。
　　
　［刊行物１について］
　　
１ａ．　「本発明は，上記従来技術の問題点を解決するためになされたもので，有効内容積が大きく（無効容積が小さく），組立てが容易で，室内の温度むらが少なく，省資源化と省エネルギー化，再資源処理容易化を図った組合せ冷蔵庫を提供することを目的とする。
　【課題を解決するための手段】上記目的を達成するために、本発明に係る組合せ冷蔵庫のもつとも基本的な構成は、少なくとも、圧縮機、放熱器を備えた機械室、および、断熱箱体で区画され、少なくとも冷却器と冷気循環用ファンとを収納してなる冷却器室からなる冷凍サイクルユニットと、食品貯蔵用の断熱箱体と扉とからなる食品収納ユニットとの両者を結合して冷蔵庫として機能させるようにした組合せ冷蔵庫において、上記食品収納ユニットを、冷凍室ユニットと、冷蔵室，チルド室，野菜室等の０℃近辺の温度帯の部屋を備えた冷蔵室ユニットとで構成するとともに、容積，部屋構成または機能の異なる数種の各食品収納ユニットを組合せ自在の構造としたものである。」（段落【０００９】，【００１０】）
　　
１ｂ．　「【実施例】以下、本発明の実施例を図１ないし図１３を参照して説明する。図１は，本発明のトップフリーザー形組合せ冷蔵庫の組合せ例を示す説明図，図２は，本発明のボトムフリーザー形組合せ冷蔵庫の組合せ例を示す説明図である。・・・。
　基本ユニット（ａ）の１，１’は冷凍サイクルユニット，２，２’は冷凍室ユニット，２ａ，２ａ’は冷凍室，３，３’，３”は冷蔵室ユニットである。冷蔵室ユニット３は，冷蔵室３ａ，チルド室３ｂ，野菜室３ｃ，および冷蔵室３ａに内蔵された氷温室３ｄ（後述する図３に示す）で構成されている。また，冷蔵室ユニット３’は，冷蔵室３ａ’，野菜室３ｃ’からなり，冷蔵室ユニット３”は，冷蔵室３ａ”からなるものである。
　図２は，ボトムフリーザー形の組合せ冷蔵庫の一例を示し，図１と同様に，図２（ａ）は基本ユニット，図２（ｂ）は，図２（ａ）各ユニットを組合せて構成した冷蔵庫，図２（ｃ）は，図２（ｂ）の組合せ冷蔵庫をさらに並列に設置して構成した超大形組合せ冷蔵庫である。図２において，図１と同一符号のものは同一機能品を示している。」（段落【００２０】ないし【００２２】）
　　
１ｃ．　「（１）冷凍サイクルユニット
・・・。
　各図において、１ａは冷却器室で、・・・その冷却器室１ａの内部に、横置き形に配置され除霜ヒーターが組み込まれた冷却器に係る蒸発器６、その蒸発器６の後部に冷気循環用貫流ファン７、冷蔵室ユニット３への冷気量を制御する温度調節用ダンパー８が配設されている。
・・・。
　冷凍サイクルユニット１の右側および前部は、図４に示すように機械室１ｂになっており、・・・、前部に高性能コンパクト形の放熱器に係る凝縮器１０、その後方にロータリー式の圧縮機１１、さらにその後方には凝縮器１０と圧縮機１１の冷却，放熱促進用の貫流ファン１２が配設されている。」（段落【００２４】中ないし【００２７】中）
　　
１ｄ．　「以上、図１のトップフリーザー形４ドア冷蔵庫の構造について説明したが、図２のボトムフリーザー形組合せ冷蔵庫についても、各ユニットの位置や冷気循環の方向が変わるだけで基本的にはほぼ同じ構成で実現可能である。ただし、トップフリーザー形組合せ冷蔵庫については、冷凍サイクルユニットが天井にあるため、従来の圧縮機が下にあるタイプに対し、放熱のために設けていた３０ｍｍ位の背面のスペースが基本的には不要となるため、その分有効内容積を増やすことができると同時に、冷凍サイクルユニットのスペースもその分大きく確保できる。」（段落【００４９】）
　　
　ところで，記載事項１ｂ及び１ｃを参照すると，図２（Ａ）の左端の組合せ例の記載から，次の示す冷蔵庫が認められる。
　　
　上から冷蔵室３ａ，野菜室３ｃ，冷凍室２ａとなるように野菜室３ｃを冷凍室２ａの上に形成され，各貯蔵室を冷却するための冷凍サイクルを構成する圧縮機１１と，前記冷凍サイクルを構成する冷却器に係る蒸発器６が配設される冷却器室１ａとを備えた冷凍サイクルユニット１を底部に有する冷蔵庫。
　　
　また，図３及び図４の記載から，冷蔵庫の野菜室３ｃ及び冷凍室２ａは内箱形状を単純な矩形状としたことが認められる。
　　
　したがって，以上を総合すると，記載事項１ｂないし１ｄ，図２（Ａ）の左端の組合せ例，図３及び図４から，引用例１には次の発明（以下，「引用例１の発明」という。）が記載されていると認められる。
　　
　上から冷蔵室３ａ，野菜室３ｃ，冷凍室２ａとなるように野菜室３ｃを冷凍室２ａの上に形成され，各貯蔵室を冷却するための冷凍サイクルを構成する圧縮機１１と，前記冷凍サイクルを構成する冷却器に係る蒸発器６が配設される冷却器室１ａとを備えた冷凍サイクルユニット１を底部に有する冷蔵庫において，野菜室３ｃ及び冷凍室２ａの内箱形状を単純な矩形状としたこと。
　　
　［刊行物２について］
　　
２ａ．　「本発明は、係る従来の技術的課題を解決するために成されたものであり、中央の冷凍室とその上下の冷蔵室、野菜室を有する冷蔵庫において、その有効容積を拡大して収納効率を向上すると共に、各室の冷却性能を改善することを目的とする。」（段落【００１４】）
　　
２ｂ．　「【発明の実施の形態】次に、図面に基づき本発明の実施の形態を詳述する。図１は本発明の冷蔵庫１の縦断側面図を示す。冷蔵庫１は、外箱３Ａと内箱３Ｂと両箱間に充填された発泡ポリウレタン等の断熱材２とから構成され、前方に開口した断熱箱体３から構成されている。
　この断熱箱体３内は、内箱３Ｂと一体成形され、内部に前記断熱材２が一体に充填された上仕切壁４と下仕切壁５とによって区画されており、上仕切壁４の上方を冷蔵室６、下仕切壁５の下方を野菜室９、それらの間を中央の冷凍室８とされている。」（段落【００１８】，【００１９】）
　　
２ｃ．　「一方、冷凍室８の奥部には仕切板２１にて冷却室２２が区画形成されており、この冷却室２２内下部には冷凍室用冷却器１５が縦設されると共に、冷凍室用冷却器１５の上方には送風機１６が設けられている。尚、３３は冷凍室用冷却器１５に成長した着霜の加熱融解を行なう除霜ヒータである。また、４７はドレン受け部材、４８は排水孔、１７は冷蔵室６のドレン排水口であり、排水孔４８に連通している。」（段落【００２３】）
　　
　ところで，記載事項２ｂ，２ｃ及び図１から，引用例２には次の発明（以下，「引用例２の発明」という。）が記載されていると認められる。
　　
　上から冷蔵室６，冷凍室８，野菜室９となるように野菜室９を冷凍室８の下に形成され，各貯蔵室を冷却するための冷凍サイクルを構成する圧縮機３６と，前記冷凍サイクルを構成する冷却器１５が配設される冷却室２２とを備えた冷蔵庫において，
　前記冷凍室８の開口の高さ方向の寸法と概ね同じくらいの前記冷却室２２が前記冷凍室８の背面後部に設置され，前記圧縮機２３が前記冷蔵庫本体の背面側の下部に設置され，
　前記冷却室２２には，前記冷却器１５の上部に設置される強制通風用の送風機１６と前記冷却器１５の下部に設置される除霜ヒーター３３と前記冷却器１５からの除霜水を受けるドレン受け部材４７とを備えたこと。
　　
　［刊行物３について］
　　
３ａ．　「【発明が解決しようとする課題】冷蔵庫の使用実態を調査すると、冷蔵庫は台所の流し台と並べて設置され、立ち姿勢での料理作業の際に頻繁に利用される。その使用頻度は冷蔵室、次に野菜室、次に冷凍室と続く。この立ち姿勢での使用実態からすれば、上部に冷蔵室、中央に野菜室、下方に冷凍室を配置することが使用実態に合うと言える。
・・・。
一方、例えば、前記第２、３の従来例では野菜室を中央に配置しているために、前記第１の従来例の位置的な使い勝手は向上するものの、この種のタイプの実施化状況をみると、野菜室が１０００ｍｍ以上の高い位置に配置されているために、流し台での作業との連携作業や、大物野菜の出し入れに課題がある。」（段落【０００７】ないし【００１１】）
　　
３ｂ．　「本発明の第１の目的は、冷蔵室と野菜室と冷凍室を使用頻度の高い順番にしたがって上下に配置して、使い勝手の良好な冷蔵庫を提供することにある。
　本発明の第２の目的は、野菜室をかがみ姿勢に適したドア構造として、この姿勢に最適な動作領域に野菜室を配置した冷蔵庫を提供することにある。」（段落【００１５】，【００１６】）
　　
３ｃ．　「図１、図２において、符号１で総括的に示すのは冷蔵庫であり、冷蔵庫１の最上部に開閉ドア１０を備えて配置される冷蔵室１００と、該冷蔵室１００の下方に配置される引出ドア２０を備えた野菜室２００と、該野菜室２００の下方に配置される引出ドア３０を備えた上部冷凍室３００と、冷蔵庫１の最下部に配置される引出ドア４０を備えた下部冷凍室４００とから構成される。なお、この冷蔵庫１は、上部冷凍室３００と下部冷凍室４００とで冷凍室８００を構成する。」（段落【００２３】）
　　
３ｄ．　「また、野菜室２００は、周側面がほぼ垂直で上方が開放した収納ケース２０２が、引出ドア２０の開閉機構６００（図１３参照）に支持されて引出ドアと一体となってスライド可能に設けられている。」（段落【００３０】中）
　　
３ｅ．　「上部冷凍室３００は、周側面がほぼ垂直で上方が開放した収納ケース３０２が、引出ドア３０の開閉機構６００に、収納ケース２０２と同様に着脱自在に支持されて設けられている。・・・。下部冷凍室４００は、背面が斜めに形成されて上方が開放した収納ケース４０２が、引出ドア４０の開閉機構６００に、収納ケース２０２と同様に着脱自在に支持されて設けられている。」（段落【００３２】中）
　　
３ｆ．　「また、下部冷凍室４００の後方に、圧縮機５０２を備えた機械室５００、上部冷凍室３００の後方に熱交換器５０４、野菜室２００の後方下部にフアンモータ５０６、野菜室２００の収納ケース２０４とチルド室１０４の後方に跨って冷気分配器（冷気供給量調整機）５０８が配置される。」（段落【００３６】）
　　
３ｇ．　「図７は背面の概略構成を示す透視図を示している。図において、排気ダクト５１２で冷媒循環系へ戻された冷気は、熱交換器５０４の下方に設けたドレントレー５１４に導かれ、再び熱交換器５０４で冷却されてフアンモータ５０６に導かれる。ドレントレー５１４は、下部が傾斜しており、その下端部にドレンホース５１６が設けられているので、冷却器５０４に付いた露をドレントレー５１４で受けて、冷蔵庫１の底面に設けた図示しない露受け皿に導くことができる。」（段落【００５１】）
　　
３ｈ．　「開閉ドア１０の内側には複数のトレー１２６が着脱自在に配置される。この実施形態では最下部のトレー１２６ａを２段トレーとして、ペットボトルと調味料の小瓶を前後に重ねて収納できるようにしている。」（段落【００９１】）
　　
３ｉ．　「また、標準的な女性の肘の高さは９７０ｍｍであり、この位置から下方であれば肘を上げることなく食品の出し入れが容易である。
　これらの点から、冷蔵庫１の作業性をみると、肘の高さ９７０ｍｍから上方に配置される貯蔵室は開閉ドア１０での立ち姿勢の作業動作が良好である。一方、肘の高さは９７０ｍｍから下方では、何れの姿勢でも、貯蔵室内を見渡しながら食品を出し入れできる引出ドア２０，３０，４０の作業性が優れている。
　特に、立ち姿勢での作業性を考慮した場合、標準的な日本人女性の手の届く下側の高さが６４３ｍｍであることから、肘の高さ９７０ｍｍより下方に配置された引出ドア２０は、引出ドア２０の床面からの高さが６４３ｍｍ以上であれば、立ち姿勢で食品の出し入れを楽な姿勢で行うことができる。」（段落【００５８】，【００５９】，【００６０】中）
　　
３ｊ．　「また、野菜室２００は、上端部までの高さＨ２を使用者の肘の高さより低い９３２ｍｍ、収納ケース２０２の床面（底面）の高さＨ５を立ち姿勢で手の届く６４３ｍｍに設定しているので、肘を上げることなく食品を出し入れして流台７００との連携作業を立ち姿勢で楽に行うことができる。しかも、収納ケース２０２，２０４の内部を首の動きだけで目視できるので、収納ケース２０２，２０４内が見易い。」（段落【００６８】）
　　
　ところで，記載事項３ｃないし３ｈ及び図１ないし図７から，引用例３には次の発明（以下，「引用例３の発明」という。）が記載されていると認められる。
　　
　上から冷蔵室１００，野菜室２００，冷凍室８００となるように野菜室２００を冷凍室８００の上に形成され，各貯蔵室を冷却するための冷凍サイクルを構成する圧縮機５０２と，前記冷凍サイクルを構成する熱交換器５０４が配設される冷却ユニットとを備えた冷蔵庫において，
　前記冷凍室８００の開口の高さ方向の寸法と概ね同じくらいの前記冷却ユニットが前記冷凍室８００の上部と野菜室２００下部の背面後部に設置され，前記圧縮機５０４が，前記冷凍室８００の下部の背部後部に設置され，
　前記冷却ユニットは，前記熱交換器５０４の上部に設置される強制通風用のファンと前記熱交換器５０４からの露を受けるドレントレー５１４とを備え，
　前記冷蔵室１００は開閉ドア１０によって，前記野菜室２００及び前記冷凍室８００は引出ドア２０，３０，４０によってそれぞれ閉塞され，前記開閉ドア１０には冷蔵食品の収納部となる複数個のトレー１２６が，前記野菜室２００内及び前記冷凍室８００内には引出し式の収納ケース２０２，３０２，４０２がそれぞれ備えられた冷蔵庫。
　　
３．　対比，一致点・相違点
　本願の請求項１に係る発明（以下，「本願発明」という。）と引用例３の発明とを対比すると，引用例３の発明の「熱交換器５０４」，「ドレントレー５１４」，「開閉ドア１０」，「引出ドア」，「トレー１２６」，及び「収納ケース」は，本願発明の「冷却器」，「樋」，「回転扉」，「引出扉」，「ポケット」及び「容器」に相当する。
　　
　したがって，両発明は，
　上から冷蔵室，野菜室，冷凍室となるように野菜室を冷凍室の上に形成され，各貯蔵室を冷却するための冷凍サイクルを構成する圧縮機と，前記冷凍サイクルを構成する冷却器が配設される冷却ユニットとを備えた冷蔵庫において，
　前記冷凍室の開口の高さ方向の寸法と概ね同じくらいの前記冷却ユニットが設置され，
　前記冷却ユニットは，前記冷却器の上部に設置される強制通風用のファンと前記冷却器からの水滴を受ける樋とを備え，
　前記冷蔵室は回転扉によって，前記野菜室及び前記冷凍室は引出扉によってそれぞれ閉塞され，前記回転扉には冷蔵食品の収納部となる複数個のポケットが，前記野菜室内及び前記冷凍室内には引出し式の容器がそれぞれ備えられた冷蔵庫の点で一致し，次の点で相違する。
　　
　［相違点１］
　本願発明では，前記冷却ユニットが，前記冷凍室の背面後部に設置され，前記圧縮機が，前記冷蔵庫本体の背面側の上部に設置され，前記冷蔵室の最上段の棚奥に位置するのに対して，引用例３の発明では，前記冷却ユニットが，前記冷凍室の上部と野菜室の下部の背面後部に設置され，前記圧縮機が，前記冷凍室の下部の背部後部に設置される点。
　　
　［相違点２］
　前記野菜室及び前記冷凍室が，本願発明では，内箱形状を単純な矩形状としたのに対して，引用例３の発明では，前記圧縮機や冷却ユニットの配置のために内箱形状を単純な矩形状としていない点。
　　
［相違点３］
　前記冷却ユニットが，本願発明では，前記冷却器の下部に設置される除霜ヒーターを備え，樋が冷却器からの除霜水を受けるのに対して，引用例３の発明では，このような除霜ヒーターを有するか否か不明であり，樋は冷却器からの露を受ける点。
　　
４．　相違点についての検討
　先ず，発明の課題について検討すると，本願発明の課題とするところは，冷蔵庫の各貯蔵室の収納容量を確保し，更に，野菜室の野菜引き出し扉の高さを使い勝手を阻害しない床面からの高さ上限値である９３センチ以下に抑えると共に，前記各貯蔵室構成と冷凍サイクルを形成する機械室と冷却器の配置を見直し，収納効率が高く，且つ使い勝手の良い貯蔵形態を構築することにある（本願明細書段落【００１４】，【００１５】参照）。
　
　引用例３の発明は，使い勝手の観点から上部に冷蔵室、中央に野菜室、下方に冷凍室を配置することが使用実態に合うこと，及び，野菜室を中央に配置した従来例では使い勝手は向上するものの，野菜室が１０００ｍｍ以上の高い位置に配置されているために、流し台での作業との連携作業や、大物野菜の出し入れに課題があるという認識のもとに（記載事項３ａ参照），使い勝手の良好な冷蔵庫を提供するとともに，野菜室をかがみ姿勢に適したドア構造として、この姿勢に最適な動作領域に野菜室を配置するという目的を有するものである（記載事項３ｂ参照）。
　　
　ところで，冷蔵庫において，各貯蔵室の有効収納容積を拡大して収納効率を向上させることは引用例１及び２にも記載の如く冷蔵庫の基本的課題である（記載事項１ａ，記載事項２ａ参照）。
　
　以上の点を踏まえて，以下各相違点について検討する。
　　
　［相違点１について］
　冷蔵庫の各貯蔵室構成と冷凍サイクルを形成する圧縮機との配置についてみると，冷蔵庫本体背面等の下部に圧縮機を設けた冷蔵庫では，背面通風路内の空気が圧縮機の熱により高温化し冷蔵庫に与える熱影響が多大であり，この熱影響を抑制するために，圧縮機を前記冷蔵庫本体の背面側の上部に設置することは従来周知である（例えば，実願昭５５−４９６７３号（実開昭５６−１５１８８０号）のマイクロフィルム，実願昭５５−５９４２９号（実開昭５６−１６１４７７号）のマイクロフィルム，実願昭５８−１２１１６９号（実開昭６０−２８３７９号）のマイクロフィルム参照。）。
　　
　また，例えば，前記周知例の実願昭５８−１２１１６９号（実開昭６０−２８３７９号）のマイクロフィルムにも記載されているように，昨近の背丈が高くなった冷蔵庫では，上部室の奥部までは手が届かず，この部分がデッドスペースとなる反面，手が届き使い勝手の良い下部室では圧縮機設置のために実質的な有効内容積が小さくなるという欠点があることが，従来冷蔵庫の課題として知られている。
　　
　更に，引用例２には，冷蔵室，冷凍室及び野菜室を備えた冷蔵庫において，前記冷凍室の開口の高さ方向の寸法と概ね同じくらいの冷却ユニットを前記冷凍室の背面後部に設置した点が記載されている。
　　
　したがって，引用例３の発明において，圧縮機を冷蔵室の最上段の棚奥に位置させて，前記相違点１における本願発明の構成を採ることは，当業者が容易に想到し得たことである。
　　
　［相違点２について］
　引用例１には，野菜室及び前記冷凍室の内箱形状を単純な矩形状とした冷蔵庫が記載されている。
　　
　そして，前記したように，引用例３の発明において，圧縮機の設置位置を冷蔵庫本体の下部から上部に移動させた場合，下部のスペースがその分だけ拡大することは自明のことである。
　　
　したがって，引用例３の発明において，前記相違点２における本願発明の構成を採ることは，当業者の設計事項である。
　　
　［相違点３について］
　引用例２には，冷蔵室，冷凍室及び野菜室を備えた冷蔵庫において，冷却器の上部に強制通風用の送風機を設置し，前記冷却器の下部に除霜ヒーターと前記冷却器からの除霜水を受けるドレン受け部材とを設置した点が記載されている。
　
　したがって，引用例３の発明において，冷却ユニットに除霜ヒーターを備え，前記相違点３における本願発明の構成を採ることは，当業者が容易に想到し得たことである。
　
　そして，本願発明の効果は，引用例１ないし３の発明及び前記基本的課題や従来冷蔵庫の課題を含む周知技術から予測し得た程度のものであって，格別なものではない。
　　
５．　むすび
　したがって，本願発明は，引用例１ないし３の発明及び周知技術に基づいて当業者が容易に発明をすることができたものであるから，特許法第２９条第２項の規定により特許を受けることができない。
　　
　よって，結論のとおり審決する。